(57)【特許請求の範囲】
【請求項１】
電力系統内に配置された複数の電力系統設備の状態が表されたスケルトンをモニタに表示してオペレータに通知するとともにオペレータからの操作要求が送信可能なクライアント装置と、
電力系統設備の状態情報とオペレータからの操作要求とを前記クライアント装置と互いに送受信可能な監視制御サーバとを有し、
前記クライアント装置は、
電力系統内に配置された複数の電力系統設備の状態が表されたスケルトンをモニタに表示するスケルトン表示手段と、
簡易設備機器の新設や撤去に伴うオペレータからのデータベースメンテナンスの要求通知や情報に関して前記監視制御サーバと互いに送受信する簡易メンテナンス情報送受信手段とを備え、
前記監視制御サーバは、既存の電力系統設備の定義情報を格納するメインデータベースと、
前記簡易設備機器の定義情報を格納するための簡易データベースと、
前記オペレータからのデータベースメンテナンスの要求により前記簡易設備機器の定義情報を更新しメンテナンス結果として前記簡易データベースに格納する簡易メンテナンス手段と、
前記電力系統設備の定義情報と前記簡易設備機器の定義情報との両方を参照して電力系統の監視制御を行う監視制御手段とを備えたことを特徴とする電力系統監視制御システム。
【請求項２】
前記クライアント装置は、スケルトンに描画する電力系統設備を表す表示シンボルをメンテナンスする表示シンボルメンテナンス手段を備え、前記表示シンボルメンテナンス手段は、前記表示シンボルを単独または組合せて設備新設のパターンの結合表示シンボルを作成することを特徴とする請求項１に記載の電力系統監視制御システム。
【請求項３】
前記監視制御サーバは、前記簡易メンテナンス手段で更新されたメンテナンス結果を監視制御に反映する反映時刻情報を設定するためのメンテナンス結果反映時刻設定手段を備え、
前記監視制御手段は、前記反映時刻情報と現在時刻情報とを基に前記簡易設備機器の監視制御の実施可否を判定し、
前記クライアント装置に設置された前記スケルトン表示手段は、前記反映時刻情報と現在時刻情報とを基にメンテナンス結果を反映したスケルトンをモニタに表示することを特徴とする請求項１または２記載の電力系統監視制御システム。
【請求項４】
前記監視制御サーバは、前記メンテナンス結果を他の監視制御サーバへ等価するメンテナンス結果等価手段を備えたことを特徴とする請求項１乃至３のいずれか１項記載の電力系統監視制御システム。
【発明の詳細な説明】
【技術分野】
【０００１】
本発明の実施形態は、電力系統内に配置された電力系統設備を監視制御する電力系統監視制御システムに関する。
【背景技術】
【０００２】
電力系統内の施設、例えば変電所や発電所などに配置された電力系統設備は、電力系統監視制御システムによって監視制御されている。この電力系統監視制御システムは、オペレータに電力系統設備の状態を通知するとともにオペレータからの操作情報が入力されるクライアント装置と、このクライアント装置とネットワークを介して通信し、電力系統設備を監視制御する監視制御サーバと、監視制御サーバとネットワークを介して通信し、電力系統設備のメンテナンスを行うメンテナンスサーバとを有する。
【０００３】
クライアント装置は、監視制御サーバから電力系統設備の状態情報を取得して現在の電力系統状態を表わす単相結線図(以下、スケルトンと記す)を表示するスケルトン表示手段と、表示用モニタとを有する。
【０００４】
監視制御サーバは、１台の制御系と複数台の待機系とで構成され、１台の制御系は、電力系統の監視制御業務(以下、オンライン業務と記す)を行い、待機系は、制御系の障害発生時にバックアップする。各監視制御サーバは電力系統設備の定義情報とスケルトン情報との保存エリアを有する。
【０００５】
メンテナンスサーバは、電力系統設備の定義情報を保存した設備データベースと、単線結線図の結線データを保存したスケルトンデータベースと、設備データベースとスケルトンデータベースとをメンテナンスするメンテナンス手段と、設備データベースとスケルトンデータベースとを監視制御サーバへ等価（コピー）する等価手段とを有する。
【０００６】
このような電力系統監視制御システムは、電力系統設備の新設または撤去により、設備データベース、スケルトンデータベース、設備間の接続情報を保持した接続情報データベースをメンテナンスすることがある。
【０００７】
このメンテナンスは、制御系の監視制御サーバは稼働したままで、メンテナンスサーバにより、設備データベース、スケルトンデータベース、接続情報データベースを、電力系統設備の新設または撤去に見合うように編集し、その編集の後に、待機系の監視制御サーバに編集後のデータベースを等価して確認試験を行う。そして、その確認試験の完了後に、制御系と待機系とを切り替える切替（以下、制待切替という）を行い、制待切替後に、制御系であった監視制御サーバにも同様にメンテナンス後のデータベースを等価することでメンテナンスを完了する。
【０００８】
通常、このような電力系統監視制御システムのデータベースのメンテナンスは、メンテナンス情報の入力操作などオペレータへの負担が大きく、また、制待切替によるオンライン業務への影響が大きい。
【０００９】
そこで、設備データベース及びスケルトンデータベースの同一設備に対する情報に共通のキーコードを設け、スケルトンデータベースの生成時に設備データベースのキーコードが一致する設備の情報を参照してスケルトンデータを生成することにより、メンテナンス時にデータベース間の整合性確認を自動でチェックでき作業の効率化を図ったものがある（例えば、特許文献１参照）。
【００１０】
また、スケルトン画面上で表示用シンボルを選択してその表示位置を所望の位置に移動させることにより自動的にデータを更新し、接続関係を示す接続線データも同様に自動的に更新するようにし、スケルトンのメンテナンス時に電力系統設備を表わした表示シンボルをデータの再入力作業無く表示位置を変更可能として、作業を効率化させたものがある（例えば、特許文献２参照）。
【先行技術文献】
【特許文献】
【００１１】
【特許文献１】特開平６−３３５１６５号公報
【特許文献２】特開平６−３５１１７９号公報
【発明の概要】
【発明が解決しようとする課題】
【００１２】
暫定的な仮設設備（例えば、移動発電機車）や電力系統設備の付属機器などの簡易設備機器の新設や撤去に伴うデータベースのメンテナンスであっても、前述したようにメンテナンス結果を制御系に反映させるには制待切替を実施する必要がある。
【００１３】
制待切替時には、制御系を停止し待機系を稼働させることになるので、制御中断などオンライン業務への影響が大きく、制待切替のためのスケジューリング作業やメンテナンスのデータ入力作業に労力を要する。
【００１４】
制待切替時には、制御系を停止し待機系を稼働させることになるので制御が中断する。制御中断は監視制御サーバによる監視制御のなどオンライン業務への影響が大きい。そこで、制御中断の影響が少ない時期に制待切替を行うことになるが、そのための制待切替を行うスケジューリング作業やメンテナンスのデータ入力作業に労力を要する。
【００１５】
本発明の実施形態は、オンライン業務への影響を小さくし、メンテナンス作業を効率化することである。
【課題を解決するための手段】
【００１６】
本発明の実施形態に係る電力系統監視制御システムは、電力系統内に配置された複数の電力系統設備の状態が表されたスケルトンをモニタに表示してオペレータに通知するとともにオペレータからの操作要求が送信可能なクライアント装置と、電力系統設備の状態情報とオペレータからの操作要求とをクライアント装置と互いに送受信可能な監視制御サーバとを有する。クライアント装置は、電力系統内に配置された複数の電力系統設備の状態が表されたスケルトンをモニタに表示するスケルトン表示手段と、簡易設備機器の新設や撤去に伴うオペレータからのデータベースメンテナンスの要求通知や情報に関して監視制御サーバと互いに送受信する簡易メンテナンス情報送受信手段とを備える。また、監視制御サーバは、既存の電力系統設備の定義情報を格納するメインデータベースと、簡易設備機器の定義情報を格納するための簡易データベースと、オペレータからのデータベースメンテナンスの要求により簡易設備機器の定義情報を更新しメンテナンス結果として簡易データベースに格納する簡易メンテナンス手段と、電力系統設備の定義情報と簡易設備機器の定義情報との両方を参照して電力系統の監視制御を行う監視制御手段とを備える。
【図面の簡単な説明】
【００１７】
【図１】本発明の実施形態１に係る電力系統監視制御システムのブロック構成図。
【図２】本発明の実施形態１に係る電力系統監視制御システムのメンテナンス動作の一例を示すフローチャート。
【図３】本発明の実施形態２に係る電力系統監視制御システムのブロック構成図。
【図４】本発明の実施形態３に係る電力系統監視制御システムのブロック構成図。
【図５】本発明の実施形態３に係る電力系統監視制御システムのメンテナンス動作の一例を示すフローチャート。
【図６】本発明の実施形態４に係る電力系統監視制御システムのブロック構成図。
【発明を実施するための形態】
【００１８】
（実施形態１）
以下、本発明の実施形態を説明する。図１は本発明の実施形態１に係る電力系統監視制御システムのブロック構成図である。本発明の実施形態１は、監視制御サーバに、簡易データベース及び簡易メンテナンス手段を設け、仮設設備や電力系統設備の付属機器などの簡易設備機器の新設や撤去の場合には、メンテナンスサーバを用いることなく、簡易設備機器の新設や撤去に対応できるようにしたものである。
【００１９】
電力系統監視制御システムは、クライアント装置１と監視制御サーバ１０とを有し、クライアント装置１と監視制御サーバ１０とは互いに通信可能に構成されている。図１では、クライアント装置１と監視制御サーバ１０とは１対１で通信する形態として示しているが、これに限らず多対多で構成してもよい。
【００２０】
クライアント装置１は、電力系統内に配置された複数の電力系統設備の状態が表されたスケルトンをモニタ２に表示するスケルトン表示手段３と、仮設設備や電力系統設備の付属機器などの簡易設備機器の新設や撤去に伴うオペレータからのデータベースメンテナンスの要求通知や情報に関して、監視制御サーバ１０と互いに送受信する簡易メンテナンス情報送受信手段４とを備えている。
【００２１】
モニタ２はスケルトン表示手段３を介して、現在の電力系統状態を表すスケルトンを表示する表示装置であり、これにより、オペレータが視覚的に電力系統状態を確認することができる。
【００２２】
スケルトン表示手段３は、監視制御サーバ１０に具備したメインデータベース２６のスケルトンデータベース１１と、簡易データベース２７の簡易メンテナンス用スケルトン情報１６とを基にスケルトンをモニタ２に表示する。
【００２３】
簡易メンテナンス情報送受信手段４はオペレータからの設備のメンテナンス要求や、モニタ２を介してオペレータが入力した情報を監視制御サーバ１０へ送信する。
【００２４】
監視制御サーバ１０は、既存の電力系統設備の定義情報を格納するメインデータベース２６と、簡易設備機器の定義情報を格納するための簡易データベース２７と、オペレータからのデータベースメンテナンスの要求により簡易設備機器の定義情報を更新しメンテナンス結果として簡易データベース２７に格納する簡易メンテナンス手段２８と、電力系統設備の定義情報と簡易設備機器の定義情報との両方を参照して電力系統の監視制御を行う監視制御手段２２と、各電力系統設備の形状や色などの定義情報を保持する表示シンボル定義情報１５とを備えている。
【００２５】
メインデータベース２６は、電力系統設備の単線結線図を表す表示シンボル及びその描画位置を保持するスケルトンデータベース１１と、電力系統設備の設備名や設備種別などの属性情報を保持する設備データベース１２と、各電力系統設備間の接続情報を保持する接続情報データベース１３とからなる。
【００２６】
簡易データベース２７は、メンテナンス対象の簡易設備機器に関するスケルトンの描画情報である簡易メンテナンス用スケルトン情報１６と、メンテナンス対象の簡易設備機器の属性情報である簡易メンテナンス用設備情報１８と、メンテナンス対象の簡易設備機器の接続情報である簡易メンテナンス用接続情報２１とからなる。
【００２７】
簡易メンテナンス手段２８は、表示シンボル定義情報１５を基にメンテナンス対象の簡易設備機器に関するスケルトンの描画情報を作成する表示シンボル描画手段１４と、メンテナンス対象の簡易設備機器の属性情報を編集する設備情報編集手段１７と、メンテナンス対象の簡易設備機器の接続先を設定する接続先設定手段１９と、メンテナンス対象の簡易設備機器の接続情報を作成する接続情報作成手段２０とからなる。
【００２８】
簡易メンテナンス手段２８の表示シンボル描画手段１４は、クライアント装置１の簡易メンテナンス用情報送受信手段４からメンテナンス要求を受信すると、表示シンボル定義情報１５を基にスケルトン上のどの位置にどの表示シンボルを描画するかの入力要求を簡易メンテナンス用情報送受信手段４に通知する。そして、表示シンボル描画手段１４は、オペレータからの入力情報を簡易メンテナンス用情報送受信手段４から受信すると、スケルトンの描画情報を簡易メンテナンス用スケルトン情報１６へ保存し、表示シンボルの描画が完了したことを設備情報編集手段１７へ通知する。
【００２９】
設備情報編集手段１７は表示シンボル描画手段１４から描画完了通知を受信すると、簡易メンテナンス情報送受信手段４を介してオペレータへ設備の属性情報の入力要求を通知する。設備情報編集手段１７はオペレータから設備の属性情報を受信すると、簡易メンテナンス用設備情報１８へ受信情報を保存するとともに、接続先設定手段１９へ設備情報の入力が完了したことを通知する。
【００３０】
接続先設定手段１９は設備情報編集手段１７から設備情報の入力完了通知を受信すると、オペレータに対象シンボルがどの設備に接続するかの入力要求を通知し、接続先情報を受信すると接続情報作成手段２０へ情報を送信する。接続情報作成手段２０は接続先設定手段１９から接続先設備情報を受信すると、接続情報データベース１３と接続先設備名を基にメンテナンス対象設備の接続情報を作成して、簡易メンテナンス用接続情報２１に保存する。
【００３１】
監視制御手段２２は、設備データベース１２と簡易メンテナンス用設備情報１８と、接続情報データベース１３と簡易メンテナンス用接続情報２１とを基に電力系統設備の監視制御を行う。
【００３２】
次に、本発明の実施形態１に係る電力系統監視制御システムのメンテナンス動作について説明する。図２は、本発明の実施形態１に係る電力系統監視制御システムのメンテナンス動作の一例を示すフローチャートである。図２では、仮設設備や付属機器などの簡易設備機器の新設や撤去に伴うデータベースのメンテナンス方法について示している。
【００３３】
図２に示すように、まず、オペレータからのメンテナンス要求がモニタ２を介して、簡易メンテナンス情報送受信手段４へ送信される（Ｓ１）。簡易メンテナンス情報送受信手段４はオペレータからの要求種別を判定する（Ｓ２）。オペレータからの要求種別には、簡易設備機器の新設要求、撤去要求、編集要求があるので、これらの要求のいずれかであるかを判別し、その結果を監視制御サーバ１０へ送信する。
【００３４】
オペレータからの要求種別が新設要求の場合には、監視制御サーバ１０の表示シンボル描画手段１４は、表示シンボル定義情報１５を基にオペレータへ新設設備のシンボルの選択を促す。オペレータが新設設備のシンボルを選択すると（Ｓ３）、次に、表示シンボル描画手段１４はスケルトン上のどこに描画するのかの表示位置の選択を促す。オペレータがシンボルの表示位置を選択すると（Ｓ４）、表示シンボル描画手段１４はオペレータからの受信情報を基にスケルトン情報を作成して簡易メンテナンス用スケルトン情報１６へ保存する（Ｓ５）。
【００３５】
次に、設備情報編集手段１７は、表示シンボル描画手段１４からスケルトン情報の作成完了通知を受信すると、オペレータへ設備の属性情報の入力要求をメンテナンス情報送受信手段４を介して通知する。オペレータがメンテナンス対象設備の属性情報を入力すると（Ｓ６）、設備情報編集手段１７はオペレータからの受信情報を基に設備情報を作成して簡易メンテナンス用設備情報１８へ保存する（Ｓ７）。
【００３６】
接続先設定手段１９は、簡易メンテナンス情報送受信手段４を介してオペレータへメンテナンス対象設備が既存のどの設備と接続するのかの入力要求を通知する。接続先設定手段１９は、オペレータがシンボルの接続先を選択すると（Ｓ８）、接続線が追加された旨の内容を簡易メンテナンス用スケルトン情報１６へ反映させる。つまり、スケルトン情報の更新を行う（Ｓ９）。接続情報作成手段２０は、接続情報データベース１３と接続先情報とを基にメンテナンス対象設備の接続情報を作成して簡易メンテナンス用接続情報２１へ保存し（Ｓ１０）、メンテナンスを完了する（Ｓ２１）。
【００３７】
次に、ステップＳ２での判定で、オペレータからの要求種別が撤去要求の場合には、表示シンボル描画手段１４はオペレータへどの設備（シンボル）を撤去するのかの要求を簡易メンテナンス情報送受信手段４を介して通知する。オペレータが撤去対象の設備（シンボル）を選択すると（Ｓ１１）、表示シンボル描画手段１４は、オペレータが選択した撤去対象設備の情報を簡易メンテナンス用スケルトン情報１６から削除する（Ｓ１２）。
【００３８】
スケルトン情報の削除を通知された設備情報編集手段１７は簡易メンテナンス用設備情報１８から当該設備の情報を削除する（Ｓ１３）。設備情報の削除を通知された接続先設定手段２０は撤去対象設備の情報を設備接続情報作成手段２１へ通知する。設備撤去を通知された簡易メンテナンス用接続情報２１から撤去対象設備の情報を削除し（Ｓ１４）、メンテナンスを完了する（Ｓ２１）。
【００３９】
次に、ステップＳ２での判定で、オペレータからの要求種別が編集要求の場合には、一度定義された設備の描画位置などを編集する。
【００４０】
まず、編集要求を受信した表示シンボル描画手段１４は、オペレータへシンボルの表示位置変更の要求があるかを通知する。そして、オペレータからシンボルの表示位置の変更があるか否かを判断する（Ｓ１５）。表示位置の変更がない場合にはステップＳ１６に進む。表示位置の変更があるときは、シンボル表示位置の変更を入力し（Ｓ１５ａ）、設備新設の場合と同様にスケルトン情報を更新し（Ｓ１５ｂ）、ステップＳ１６に進む。
【００４１】
スケルトン情報の変更完了通知を受信した設備情報更新手段１７は、オペレータへ設備情報の変更要求があるか通知する。そして、オペレータから設備情報の変更の要求があるかどうかを判定し（Ｓ１６）、設備情報の変更が入力されない場合にはステップＳ１７に進む。設備情報の変更があるときは、シンボル表示位置の変更を入力し（Ｓ１６ａ）、設備新設の場合と同様に設備情報を更新する（Ｓ１６ｂ）。
【００４２】
設備情報の変更完了通知を受信した接続先設定手段１９は、オペレータへ当該設備の接続先の変更要求があるか通知する。そして、オペレータから接続先の変更要求があるかどうかを判定し（Ｓ１７）、接続先の変更がある場合は、オペレータに対しシンボルの接続先の選択を促し、オペレータがシンボルの接続先を選択すると（Ｓ１７ａ）、スケルトン情報の更新を行う（Ｓ１７ｂ）。そして、接続情報を作成して簡易メンテナンス用接続情報２１へ保存し（Ｓ１７ｃ）、メンテナンスを完了する（Ｓ２１）。
【００４３】
以上のように、仮設設備や付属機器などの設備機器の新設、撤去、情報編集に伴うデータベースのメンテナンスを監視制御サーバ１０に備えた簡易メンテナンス手段２８で行い、監視制御手段２２はデータベースと簡易メンテナンス手段２８で作成された情報の両者を参照することで、メンテナンス直後から仮設設備や付属機器などの設備機器の監視制御を行うことが可能となる。これにより、従来の電力系統監視制御システムで必要であった監視制御サーバ１０の制待切替を実施せずとも設備データベースのメンテナンスを行える。
【００４４】
（実施形態２）
次に、本発明の実施形態２を説明する。図３は、本発明の実施形態２に係る電力系統監視制御システムのブロック構成図である。この実施形態２は、図１に示した実施形態１に対し、スケルトンに描画する電力系統設備を表す表示シンボルをメンテナンスする表示シンボルメンテナンス手段５を追加して設けたものである。図２と同一要素には、同一符号を付し重複する説明は省略する。
【００４５】
表示シンボルメンテナンス手段５は、表示シンボルを単独または組合せて設備新設のパターンの結合表示シンボルを作成する。すなわち、表示シンボルメンテナンス手段５は、表示シンボル定義情報１５を複数のシンボルを組み合わせたものを１つの結合表示シンボルとして登録可能に拡張し、表示シンボル描画手段１４は結合表示シンボルを基にスケルトン情報を作成する。
【００４６】
オペレータは、クライアント装置１のモニタ２を介して表示シンボルのメンテナンス要求を表示シンボルメンテナンス手段５へ通知する。表示シンボルメンテナンス手段５は表示シンボル定義情報１５を参照して、オペレータが要求した各設備の表示シンボルの形状や、大きさ、色などのメンテナンスを行う。また、オペレータが要求した既に登録済のシンボルを結合させ，結合表示シンボルの登録も行う。
【００４７】
実施形態２によれば、簡易設備機器の新設パターンを結合表示シンボルとして登録しておくことで、定期的に実施するような類似した設備データベースのメンテナンスにおいて作業性の向上が図れる。
【００４８】
（実施形態３）
次に、本発明の実施形態３を説明する。図４は、本発明の実施形態３に係る電力系統監視制御システムのブロック構成図である。この実施形態３は、図３に示した実施形態２に対し、監視制御サーバ１０に、簡易メンテナンス手段２８で更新されたメンテナンス結果を監視制御に反映する反映時刻情報を設定するためのメンテナンス結果反映時刻設定手段２３、及びメンテナンス結果反映時刻設定手段２３で設定されたメンテナンス対象設備の反映時刻情報を保存する簡易メンテナンス結果反映時刻情報２４を設けたものである。図３と同一要素には、同一符号を付し重複する説明は省略する。
【００４９】
監視制御手段２２は、反映時刻情報と現在時刻情報とを基に簡易設備機器の監視制御の実施可否を判定する。また、クライアント装置１に設置されたスケルトン表示手段３は、反映時刻情報と現在時刻情報とを基にメンテナンス結果を反映したスケルトンをモニタ２に表示する。
【００５０】
次に、本発明の実施形態１に係る電力系統監視制御システムのメンテナンス動作について説明する。図５は、本発明の実施形態３に係る電力系統監視制御システムのメンテナンス動作の一例を示すフローチャートである。図５では、仮設設備や付属機器などの簡易設備機器の新設や撤去に伴うデータベースのメンテナンス方法について示している。
【００５１】
まず、新設要求の場合のメンテナンス方法について説明する。ステップＳ１０までは図２に示した実施形態１の場合と同様なので説明は省略する。ステップＳ１０により、メンテナンス対象設備の接続情報が簡易メンテナンス用接続情報２１へ保存されると、メンテナンス結果反映時刻設定手段２３は、オペレータへメンテナンス結果反映時刻の入力要求をメンテナンス情報送受信手段４を介して通知し、オペレータによりメンテナンス対象設備の反映時刻情報が入力されると、そのメンテナンス対象設備の反映時刻情報を簡易メンテナンス結果反映時刻情報２４へ保存する（Ｓ１８）。
【００５２】
次に、撤去要求の場合のメンテナンス方法について説明する。ステップＳ１４までは図２に示した実施形態１と同様なので説明は省略する。ステップＳ１４により、撤去対象設備の情報が削除されると、メンテナンス結果反映時刻設定手段２３は、メンテナンス対象設備の反映時刻情報を簡易メンテナンス結果反映時刻情報２４から削除する（Ｓ１９）。
【００５３】
次に、編集要求の場合のメンテナンス方法について説明する。ステップＳ１７ｂまでは図２に示した実施形態１と同様なので説明は省略する。ステップＳ１７ｃにより、接続情報が簡易メンテナンス用接続情報２１へ保存されると、メンテナンス結果反映時刻設定手段２３は、オペレータへメンテナンス結果反映時刻の入力要求をメンテナンス情報送受信手段４を介して通知して、オペレータにメンテナンス対象設備の反映時刻情報を変更してもらい（Ｓ２０）、変更後の反映時刻情報を簡易メンテナンス結果反映時刻情報２４へ保存する（Ｓ２２）。
【００５４】
ここで、スケルトン表示手段３は簡易メンテナンス結果反映時刻情報２４を参照して、反映時刻と現在時刻と比較を行い、反映時刻が現在時刻に達していない場合は当該設備はスケルトンへは表示せず、反映時刻が現在時刻に達する場合は当該設備をスケルトンへ表示する。また、監視制御手段２２も簡易メンテナンス結果反映時刻情報２４を参照して、反映時刻と現在時刻との比較を行い、当該設備を監視制御対象とするかどうかを判定し、当該設備の監視制御を行う。  
以上の説明では、図３に示した実施形態２に対し、メンテナンス結果反映時刻設定手段２３及び簡易メンテナンス結果反映時刻情報２４を追加して設けたが、図１に示した実施形態１に対し、メンテナンス結果反映時刻設定手段２３及び簡易メンテナンス結果反映時刻情報２４を設けるようにしてもよい。
【００５５】
本発明の実施形態３によれば、オペレータの作業が軽負荷の時間帯に予めメンテナンスを実施しておき、メンテナンス結果の反映時刻を指定しておくことで、その指定時間になったときにメンテナンス結果を反映することが可能となる。これにより、設備データベースのメンテナンス作業の効率化が図れる。
【００５６】
（実施形態４）
次に、本発明の実施形態４を説明する。図６は、本発明の実施形態４に係る電力系統監視制御システムのブロック構成図である。この実施形態４は、図４に示した実施形態３に対し、監視制御サーバ１０に、メンテナンス結果を他の監視制御サーバ１０ａ〜１０ｋへ等価するメンテナンス結果等価手段２５を追加して設けたものである。
【００５７】
メンテナンス結果等価手段２５は、簡易メンテナンス手段２８で得られた簡易メンテナンス結果、簡易メンテナンス用スケルトン情報１６、簡易メンテナンス用設備情報１８、簡易メンテナンス用接続情報２１、メンテナンス結果反映時刻２４を他の監視制御サーバ１０a〜１０ｋに送信して等価（コピー）する。
【００５８】
このように、複数台の監視制御サーバ１０で構成された電力系統監視制御システムにおいて１台の監視制御サーバ１０で行われた簡易メンテナンス結果が他の監視制御サーバ１０へ等価されるので情報の共有が可能となる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１…クライアント装置、２…モニタ、３…スケルトン表示手段、４…簡易メンテナンス情報送受信手段、１０…監視制御サーバ、１１…スケルトンデータベース、１２…設備データベース、１３…接続情報データベース、１４…表示シンボル描画手段、１５…表示シンボル定義情報、１６…簡易メンテナンス用スケルトン情報、１７…設備情報編集手段、１８…簡易メンテナンス用設備情報、１９…接続先指定手段、２０…接続情報作成手段、２１…簡易メンテナンス用接続情報、２２…監視制御手段、２３…メンテナンス結果反映時刻設定手段、２４…簡易メンテナンス結果反映時刻情報、２５…メンテナンス結果等価手段、２６…メインデータベース、２７…簡易データベース、２８…簡易メンテナンス手段
【図１】
0005814753.tif 000002
【図２】
0005814753.tif 000003
【図３】
0005814753.tif 000004
【図４】
0005814753.tif 000005
【図５】
0005814753.tif 000006
【図６】
0005814753.tif 000007